(57)【要約】【課題】可搬型の三面鏡としても使用することがで出来ると共に、折り畳んだ状態でも鏡として使用することが出来るよう様な折り畳み用の鏡を提供すること。【解決手段】中央に配置されて上縁を中心に回動する主鏡９と、前記主鏡９の前面側で摺動自在であり、主鏡９の左右に位置した状態で回動自在であると共に、前記主鏡９の左右に位置した状態で互いの鏡面が平面状にデテント位置決めされ、前記主鏡９と同方向面に鏡面を有する右回転鏡２３及び左回転鏡２４と、前記主鏡９の後面で摺動自在であり、所定の位置まで引き出された状態で回動してデテント位置決めされると共に、主鏡９と左右回転鏡２３、２４を横方向に並べたとき、３枚の鏡を支える支え脚４を有するスライド支え板２と、を有することを特徴とする折り畳み用鏡。【選択図】図１
2004033644.tif 000002
【特許請求の範囲】
【請求項１】
複数枚の鏡を組み合わせて用いる携帯用鏡において、
中央に配置されて上縁を中心に回動する主鏡と、
前記主鏡の前面側で摺動自在であり、主鏡の左右に位置した状態で回動自在であると共に、前記主鏡の左右に位置した状態で互いの鏡面が平面状にデテント位置決めされ、前記主鏡と同方向面に鏡面を有する右回転鏡及び左回転鏡と、
前記主鏡の後面で摺動自在であり、所定の位置まで引き出された状態で回動してデテント位置決めされると共に、主鏡と左右回転鏡を横方向に並べたとき、３枚の鏡を支える支え脚を有するスライド支え板と、
を有することを特徴とする折り畳み用鏡。
【請求項２】
左右回転鏡の横方向の幅は主鏡の横幅の半分であることを特徴とする請求項１に記載の折り畳み用鏡。
【請求項３】
スライド支え板に取り付けられた支え脚は、折り畳み自在であることを特徴とする請求項１に記載の折り畳み用鏡。
【発明の詳細な説明】
【０００１】
【発明が属する技術分野】
本発明は、折り畳み用の鏡に関し、特に、三面鏡としても使用でき、携帯にも便利な折り畳み用鏡に関する。
【０００２】
【従来の技術】
鏡は、古来から、人間の生活に深く食い入る身の回り用品である。近代になって、後ろ姿をも見られるような、所謂三面鏡が広く知られるようになった。又三面鏡を可搬型に構成した鏡も開発されており、例えば、実開平４−３４７５４号に示されている。
【０００３】
該公開公報に示されている鏡は、折り畳んで、簡単に持ち運べることが出来て、便利な反面、三枚に鏡を縦に平面状に並べて、例えば姿見として使用しようとするとき、三枚の鏡を正確に平面状に固定する手だてが無かったので、三枚の鏡が同一平面に並ばず、縦長の姿を正確に見ることが出来なかった。
【０００４】
又、左右に位置する２枚の鏡を、中央の鏡の上に折り畳んでしまうと、鏡が中側に観音扉のように畳まれて、鏡としての作用を失う。
【０００５】
【発明が解決しようとする課題】
本発明は、上述のような従来品の欠点を解消しようとするもので、その目的は、可搬型の三面鏡としても使用することがで出来ると共に、折り畳んだ状態でも鏡として使用することが出来るよう様な折り畳み用の鏡を提供することにある。
【０００６】
【課題を解決するための手段】
上述のよう本発明の目的を達成するために本発明の請求項１に記載の発明は、複数枚の鏡を組み合わせて用いる携帯用鏡において、中央に配置されて上縁を中心に回動する主鏡と、前記主鏡の前面側で摺動自在であり、主鏡の左右に位置した状態で回動自在であると共に、前記主鏡の左右に位置した状態で互いの鏡面が平面状にデテント位置決めされ、前記主鏡と同方向面に鏡面を有する右回転鏡及び左回転鏡と、前記主鏡の後面で摺動自在であり、所定の位置まで引き出された状態で回動してデテント位置決めされると共に、主鏡と左右回転鏡を横方向に並べたとき、３枚の鏡を支える支え脚を有するスライド支え板と、を有することを特徴とする折り畳み用鏡を提供する。
本願の請求項２に記載の発明は、請求項１に記載の発明に加えて、左右回転鏡の横方向の幅は主鏡の横幅の半分であることを特徴とするの折り畳み用鏡を提供する。
本願の請求項３に記載の発明は、請求項１に記載の発明に加えて、スライド支え板に取り付けられた支え脚は、折り畳み自在であることを特徴とする折り畳み用鏡を提供する。
【０００７】
【発明の実施の形態】
次に本発明の一実施の形態を、図面を用いて詳細に説明する。
図１は、本発明の一実施の形態を示す後面斜視図である。図１において、１は外枠である。外枠１には、スライド支え板２が矢印方向にスライド自在に設けられている。スライド支え板２には、横置き用脚３の一方端が回転自在に軸承されている。スライド支え板２は、その縁が外枠１の中央付近まで引き出せると共に、図２に示すように、鏡を縦型で使用したとき、外側に開いて、支え脚４となるようにように構成されている。
【０００８】
外枠１は、上下部分に上ガイド部５、下ガイド部６を有し、それら上ガイド部５下ガイド部６は左右２本の柱７、８で支えられている（図１，３参照）。
柱７、８の上部には、主鏡９の上端が回動自在に支えられている。すなわち、主鏡９は、図４に示すように、周囲を金属枠１０で囲われており、その金属枠１０から延びる支承軸１１、１１が柱７、８上端付近に開けられた支承穴に嵌合している。上ガイド部５には、図３に明確に示すように、柱７、８に支えられている部分の前後に、上ガイド部５の長手方向いっぱいに、上前ガイド溝１２、上後ガイド溝１３が設けられている。下ガイド部６には、柱７、８に支えられている部分の前後に、下ガイド部６の長手方向いっぱいに、下前ガイド溝１４、下後ガイド溝１５が設けられている。
【０００９】
上後ガイド溝１３と下後ガイド溝１５には前記のスライド支え板２に設けた後述の担体がスライド自在に填め込まれている。スライド支え板２は図５に示すように上下端縁に、上後ガイド溝１３と下後ガイド溝１５にそれぞれ摺動自在に填り込む担体１６、１７が回動自在に取付けられている。すなわち、図には示されてはいないが、スライド支え板２から延びる軸に対して回転自在に取り付けられている。これら担体１６、１７には、スライド板２を図２に示すように引き出された位置に留め置くように、これら担体１６，１７には、図６に示すようなデテント機構が設けられている。このデテント機構は、上後ガイド溝１３、下後ガイド溝１５或いは担体１６、１７の一方側に取り付けられ、位置決め穴１８を持つ位置決め板１９と、他方側に取り付けられ、位置決め穴１８に填り込み、ばね２０でバイアスされているボール２１とを有する位置決め金具２２を有する。
【００１０】
上前ガイド溝１２と下前ガイド溝１４には、図７に示すように、左右回転鏡２３、２４の上端と下端に設けたスライダ２６、２７が摺動自在に填め込まれている。左右回転鏡２３、２４はスライダ２６、２７に回転自在に取り付けられている。スライダ２６、２７及び上前ガイド溝１２と下前ガイド溝１４には、図６に示すようなでデテント機構が設けられており、左右回転鏡２３、２４が左右に引き出された状態で且つ主鏡９と平行な位置において、該デテント機構により位置決めされる。なお、左右回転鏡２３、２４の横幅は、主鏡９の横幅のほぼ半分である。また、左右回転鏡２３、２４はほぼ同様な構造であるので、左回転鏡２３を詳細に説明し、右回転鏡２４の詳細な構造は説明せず、両者の相違点のみを説明する。左回転鏡２３は、図７に示すように、金属枠２７が周囲に填められ、上下端縁に、上前ガイド溝１２と下前ガイド溝１４に摺動自在に填り込むスライダ２５、２６が回動自在に取付けられている。すなわち、左回転鏡２３から延びる軸に対して回転自在に取り付けられている。このデテント機構の一方は、スライダ２５、２６に取り付けられ、他方側は、上前ガイド溝１２と下前ガイド溝１４に取りつけられ、ばね２０でバイアスされているボール２１が位置決め板１９の位置決め穴に填り込んで、左右回転鏡２３、２４を前記開かれた位置に位置決めする。
【００１１】
左回転鏡２３は、縦方向で使用するとき、左回転鏡２３の左端は、床面と接するので、左端に、ゴム座２８が取り付けられている。図１に示す外枠１に設けられた穴２９は、壁掛けの際に用いる取付穴である。
【００１２】
次に本発明の作用について説明する。図８は、左右回転鏡２３、２４を外枠１内に収容した状態を示す。この状態では、左回転鏡２３と右回転鏡２４の鏡面は正面方向にあるので、これらを収納した状態でも、鏡の機能は有する。このため本発明を壁等に掛ければ、普通の鏡として利用できる。なお。この時左右回転鏡の間になるべく隙間を設けないような工夫が為されると都合がよい。
【００１３】
次に、本発明を三面鏡として用いる場合は、図８に示す状態から左右回転鏡２３、２４を互いに左右にいっぱいに引き出す。そして、左右回転鏡２３、２４をスライダ２６、２７に対して手前方向に所定角度だけ回転させ、図１に示すように本発明を横長に置き、スライド支え板２から横置き用脚３を引き出して、床上にセットする。この状態で使用すれば、本発明を三面鏡として使用できる。
【００１４】
次に、左右回転鏡２３、２４を左右いっぱいまで回転させると、スライダ２６，２７と左右回転鏡２３、２４のデテント機構が働いて、本発明の回転鏡２３、２４を図２に示すように、主鏡９に対して平面状態に固定することが出来る。この状態からスライド支え板２を引き出すと、デテント機構が働いて、スライド支え板２を所定の位置に固定する。その後、スライド支え板２を開くと、図２に示すように、本発明を縦長方向に床上に設置でき、例えば姿見として使用することが出来る。
【００１５】
以上、本発明を上述の実施の形態により説明したが、本発明の主旨の範囲内で種々の変形や応用が可能であり、これらの変形や応用を本発明の範囲から排除するものではない。
【００１６】
【発明の効果】
以上詳細に説明したように、本願請求項１に記載の発明は、複数枚の鏡を組み合わせて用いる携帯用鏡において、中央に配置されて上縁を中心に回動する主鏡と、前記主鏡の前面側で摺動自在であり、主鏡の左右に位置した状態で回動自在であると共に、前記主鏡の左右に位置した状態で互いの鏡面が平面状にデテント位置決めされ、前記主鏡と同方向面に鏡面を有する右回転鏡及び左回転鏡と、前記主鏡の後面で摺動自在であり、所定の位置まで引き出された状態で回動してデテント位置決めされると共に、主鏡と左右回転鏡を横方向に並べたとき、３枚の鏡を支える支え脚を有するスライド支え板と、を有するので、可搬型の鏡でありながら、三面鏡としても使用することがで出来、しかも折り畳んだ状態でも鏡として使用することが出来るよう様な折り畳み用の鏡を提供することができる。
又本願の請求項２に記載の発明は、前記請求項１に記載の発明の効果に加えて、左右回転鏡の横方向の幅は主鏡の横幅の半分であるので、左右回転鏡を引き込めた状態で、これらが主鏡の前面と完全に重なり、本発明の折り畳み用鏡全体がコンパクト化される外、左右回転鏡の面を揃えれば主鏡と同じ大きさの一面鏡となる。
さらに、本願の請求項３に記載の発明は、請求項１に記載の発明の効果に加えて、スライド支え板に取り付けられた支え脚は、折り畳み自在であるので、スライド支え板は邪魔にならないので、可搬型折り畳み用鏡として極めて便利なものとなる。
【図面の簡単な説明】
【図１】図１は、左右回転鏡を開いた状態を示す後部斜視図である。
【図２】図２は、本発明を縦長としての使用状態を示す斜視図である。
【図３】図３は、外枠の斜視図である。
【図４】図４は、主鏡の斜視図である。
【図５】図５は、支え板の斜視図である。
【図６】図６は、デテント機構の断面図である。
【図７】図７は、回転鏡の斜視図である。
【図８】図８は、本発明の正面斜視図である。
【符号の説明】
１・・・・・外枠
２・・・・・スライド支え板
３・・・・・横置き用脚
４・・・・・支え脚
５・・・・・上ガイド部
６・・・・・下ガイド部
７・・・・・柱
８・・・・・柱
９・・・・・主鏡
１０・・・・・金属枠
１１・・・・・支承軸
１２・・・・・上前ガイド溝
１３・・・・・上後ガイド溝
１４・・・・・下前ガイド溝
１５・・・・・下後ガイド溝
１６・・・・・担体
１７・・・・・担体
１８・・・・・位置決め穴
１９・・・・・位置決め板
２０・・・・・ばね
２１・・・・・ボール
２２・・・・・位置決め金具
２３・・・・・左回転鏡
２４・・・・・右回転鏡
２５・・・・・スライダ
２６・・・・・スライダ
２７・・・・・金属枠
２８・・・・・ゴム座
２９・・・・・取付穴
【図１】
2004033644.tif 000003
【図２】
2004033644.tif 000004
【図３】
2004033644.tif 000005
【図４】
2004033644.tif 000006
【図５】
2004033644.tif 000007
【図６】
2004033644.tif 000008
【図７】
2004033644.tif 000009
【図８】
2004033644.tif 000010